(57)【要約】      （修正有）【課題】取付けすべき物品を被取付け体に固定する際に、被取付け体の厚さに影響されず、安定して固定することができる引掛け係止具を提供する。【解決手段】引掛け係止具１を物品の外面に固定するための固定部２と、固定部２に一端部が連続しており物品の外面に対向する固定部２の前面から離れる方向に伸長した後、外面に沿って側面視Ｓ字状に伸長した、弾性を有する第１のアーム部４と、一端部が第１のアーム部４の他端部に連続しており、第１のアーム部４から折り返し、物品の外面に沿って伸長した、弾性を有する第２のアーム部３とを備えている。第１のアーム部４の一端部及び他端部の間に、被取付け体を物品方向に押圧するための第１押圧部４０が設けられ、自由端を構成する第２のアーム部３の他端部の近傍位置において、被取付け体を物品方向に押圧するための第２押圧部３０が設けられている。【選択図】図２
0003191365.tif 000002
【実用新案登録請求の範囲】
【請求項１】
取付けすべき物品に固定された状態で、被取付け体の上端に跨って引掛けることにより、前記物品を前記被取付け体に固定するための引掛け係止具であって、
当該引掛け係止具を前記物品の外面に固定するための固定部と、該固定部に一端部が連続しており前記物品の前記外面に対向する前記固定部の前面から離れる方向に伸長した後、該外面に沿って側面視Ｓ字状に伸長した、弾性を有する第１のアーム部と、一端部が該第１のアーム部の他端部に連続しており、該第１のアーム部から折り返し、前記物品の前記外面に沿って伸長した、弾性を有する第２のアーム部とを備え、
前記第１のアーム部の前記一端部及び前記他端部の間に、前記被取付け体を前記物品方向に押圧するための第１押圧部が設けられ、
自由端を構成する前記第２のアーム部の他端部の近傍位置において、前記被取付け体を前記物品方向に押圧するための第２押圧部が設けられていることを特徴とする引掛け係止具。
【請求項２】
前記第１のアーム部が前記第２のアーム部の両側に対称に配置された１対のアームを備えており、該１対のアームの各々に前記被取付け体を前記物品方向に押圧するための前記第１押圧部が設けられていることを特徴とする請求項１に記載の引掛け係止具。
【請求項３】
前記第２のアーム部は、前記一端部から前記他端部に向かって、厚みが減少するように構成されていることを特徴とする請求項１又は２に記載の引掛け係止具。
【考案の詳細な説明】
【技術分野】
【０００１】
本考案は、例えば収容容器等の取付けすべき物品を、機器や設備等の被取付け体に取付けて固定するための引掛け係止具に関する。
【背景技術】
【０００２】
図５は従来技術による引掛け係止具を設けた収容容器を示している。同図に示すように、従来技術においては、収容容器５′の一方の外面５０′にコ字状断面を有する複数の引掛け用フック７′が一体的に設けられている。これら引掛け用フック７′を被取付け板の上端に跨って引掛けることにより、収容容器５′はこの被取付け板に固定される。
【考案の概要】
【考案が解決しようとする課題】
【０００３】
しかしながら、このような従来の収容容器５′を被取付け板に安定して固定するためには、引掛け用フック７′と収容容器５′の外面５０′との間隙Ｒが、被取付け板の厚みに略等しい必要がある。即ち、引掛け用フック７′の間隙Ｒに対し被取付け板の厚みが薄いと、引掛け用フック７′の内側に空隙が生じてガタツキが起こり、安定した固定ができない。また、引掛け用フック７′の間隙Ｒに対し被取付け板の厚みが略等しい場合であっても、引掛け用フック７′はその構造上、フックを構成する一部に応力が集中し、その部分が破断して壊れ易い。
【０００４】
本考案は上述した点に鑑み案出されたもので、その目的は、取付けすべき物品を被取付け体に固定する際に、被取付け体の厚さに影響されずに安定して固定することができる引掛け係止具を提供することにある。
【０００５】
本考案の他の目的は、取付けすべき物品を被取付け体に固定する際に、応力集中による破断などが生じて壊れることを防止できる引掛け係止具を提供することにある。
【課題を解決するための手段】
【０００６】
本考案によれば、引掛け係止具は、取付けすべき物品に固定された状態で、被取付け体の上端に跨って引掛けることにより、物品を被取付け体に固定するための引掛け係止具であって、この引掛け係止具を物品の外面に固定するための固定部と、固定部に一端部が連続しており物品の外面に対向する固定部の前面から離れる方向に伸長した後、外面に沿って側面視Ｓ字状に伸長した、弾性を有する第１のアーム部と、一端部が第１のアーム部の他端部に連続しており、第１のアーム部から折り返し、物品の外面に沿って伸長した、弾性を有する第２のアーム部とを備えている。第１のアーム部の一端部及び他端部の間に、被取付け体を物品方向に押圧するための第１押圧部が設けられ、自由端を構成する第２のアーム部の他端部の近傍位置において、被取付け体を物品方向に押圧するための第２押圧部が設けられている。
【０００７】
本考案の引掛け係止具を、取付けすべき物品に固定し、被取付け体の上端に跨って引掛けて、物品の外面と引掛け係止具の第１のアーム部及び第２のアーム部との間に被取付け体が挟まれるように装着すると、第１のアーム部及び第２のアーム部の弾性によって、第２のアーム部の第２押圧部が被取付け体の表面を物品方向に押圧することから、物品は被取付け体に確実に固定される。このとき、第２押圧部が被取付け体に押し戻されるが、それに応じて第２のアーム部全体も押し戻され、さらに第２のアーム部と連続する第１のアーム部も押し戻される。その結果、第２押圧部にかかる応力が好適に分散され、第２押圧部が弾性限界を超えることを回避できる。
【０００８】
被取付け体が薄い場合は、第２のアーム部の第２押圧部のみが被取付け体の表面を押圧する。また、被取付け体が厚い場合は、第２のアーム部の第２押圧部と、第１のアーム部の第１押圧部との両方が被取付け体の表面を押圧する。即ち、この場合、第２押圧部が被取付け体に押し戻されるが、それに応じて第２のアーム部全体も押し戻され、この第２のアーム部と連続する第１のアーム部も押し戻される。さらに、第１のアーム部の第１押圧部も被取付け体に押し戻されるが、それに応じて第１のアーム部全体も押し戻される。その結果、第２押圧部にかかる応力及び第１押圧部にかかる応力が好適に分散され、第２押圧部及び第１押圧部が弾性限界を超えることを回避できる。
【０００９】
このように、本考案の引掛け係止具によれば、被取付け体が薄くても厚くてもその厚みに関係なく、物品を被取付け体に安定して固定することができる。また、押し戻されて引掛け係止具に印加される被取付け体からの応力が好適に分散されるため、引掛け係止具に破断などが生じて壊れることを防止することができる。
【００１０】
また、本考案の引掛け係止具は、第１のアーム部が第２のアーム部の両側に対称に配置された１対のアームを備えており、これら１対のアームの各々に被取付け体を物品方向に押圧するための第１押圧部が設けられていることも好ましい。これにより、被取付け体が比較的薄く、第２のアーム部の第２押圧部のみが被取付け体の表面を押圧する場合、第２押圧部にかかる応力は、第２のアーム部から第１のアーム部の１対のアームに分散されるため、引掛け係止具はより壊れ難くなる。また、被取付け体が厚く、第１押圧部及び第２押圧部の両方が被取付け体の表面を押圧する場合、２つの第１押圧部と第２押圧部とで被取付け体を保持することができるため、より安定して物品を固定することができる。この場合、被取付け体から引掛け係止具にかかる応力は、第２のアーム部と第１のアーム部の１対のアームとに分散されるため、引掛け係止具が弾性限界を超えることを確実に回避することができ、引掛け係止具はさらに壊れ難くなる。
【００１１】
さらに、本考案の引掛け係止具の第２のアーム部は、その一端部から他端部に向かって、厚みが減少するように構成されていることも好ましい。この構成により、第２のアーム部の先端部により柔軟となる可撓性を持たせ、その第２押圧部に被取付け体から印加される応力を良好に減衰させることができ、この第２のアーム部が弾性限界を超えて壊れることを効果的に防止することができる。
【考案の効果】
【００１２】
本考案によれば、以下のような優れた効果を有する引掛け係止具を提供することができる。
（１）被取付け体が薄くても厚くてもその厚みに関係なく、物品を被取付け体に安定して固定することができる。
（２）押し戻されて引掛け係止具に印加される被取付け体からの応力が好適に分散されるため、引掛け係止具に破断などが生じて壊れることを防止することができる。
【図面の簡単な説明】
【００１３】
【図１】本考案の一実施形態に係る引掛け係止具を示しており、（ａ）はその斜視図、（ｂ）はその側面図である。
【図２】取付けすべき物品の一例である収容容器に図１の実施形態の引掛け係止具が固定された状態を示しており、（ａ）はその斜視図、（ｂ）は同図（ａ）のＡ−Ａ線断面図である。
【図３】図１の実施形態の引掛け係止具を固定した収容容器を実際に使用した例を示す斜視図である。
【図４】図１の実施形態の引掛け係止具を固定した収容容器の動作状態を概略的に示しており、（ａ）は被取付け体に装着する前の状態を示す側面図、（ｂ）は薄い被取付け体に装着した状態を示す側面図、（ｃ）は同図（ｂ）の被取付け体より厚い被取付け体に装着した状態を示す側面図である。
【図５】従来技術の引掛け用フックを設けた収容容器を示しており、（ａ）はその斜視図、（ｂ）は同図のＢ−Ｂ線断面図である。
【考案を実施するための形態】
【００１４】
以下、本考案の一実施形態に係る引掛け係止具について説明する。本実施形態の引掛け係止具１は、これに限定されるわけではないが、スロットマシンゲーム機の前面下部に設けられたメダル受け皿の前壁（前板）６（本考案の被取付け体に対応）にメダル等を追加収容するための収容容器５（本考案の取付けすべき物品に対応）を取付けるために使用される。
【００１５】
図１及び図２に示すように、本実施形態に係る引掛け係止具１は、一体的に形成された固定部２と、第１のアーム部４と、第２のアーム部３とを備えている。固定部２は、後述するように、収容容器５の外面（後面）５０に固定される。第１のアーム部４は固定部２に連続しており、第２のアーム部３はこの第１のアーム部４に連続して折り返されている。なお、本実施形態において、「前」とは、引掛け係止具１により収容容器５をゲーム機のメダル受け皿の前壁６に取付けた場合において、ゲーム機の表方向、「後」とはゲーム機の裏方向、「側面」とは水平方向に垂直でありかつ「前後」方向に沿った面をそれぞれ意味している。
【００１６】
固定部２は、収容容器５に形成されている固定部挿入穴５１（図２（ａ）及び（ｂ）参照）内に挿入されて嵌合するように構成されており、これにより引掛け係止具１が収容容器５に固定される。より詳しくは、固定部２は、略直方体形状に形成されており、その端部近傍には、固定部挿入穴５１内に形成されている凹部５２（図２（ｂ）参照）と嵌合する嵌合爪２１（図１（ｂ）及び図２（ｂ）参照）が設けられている。この嵌合爪２１が凹部５２と嵌合することにより、固定部２が固定部挿入穴５１から抜けにくくなるように構成されている。ただし、固定部２は、固定部挿入穴５１から外すことを可能に構成されている。また、収容容器５の外面５０に対向する面である、固定部２の前面２２の上部中央部分には、切り欠き２０が形成されており、これによって固定部２に弾性を付与し、固定部挿入穴５１への固定部２の挿入を容易にしている。なお、本実施形態の引掛け係止具１の固定部２は、収容容器５の固定部挿入穴５１に対して脱着可能に構成されているが、固定部２を固定部挿入穴５１に一度嵌合させた後には取外しができない構造としても良い。また、引掛け係止具１を収容容器５に一体化した構造としても良い。
【００１７】
第１のアーム部４は、弾性を有し引掛け係止具１の中心線に対して線対称な１対のアームから構成されている。第１のアーム部４のこれら１対のアームは、固定部２の下端にその一端部４１が連続しており、収容容器５に固定した後にその外面５０に対向する面である、固定部２の前面２２から離れる方向（後方向）に伸長した後、収容容器５の外面５０に沿って側面視Ｓ字状に伸長してその他端部４２となるように構成されている。側面視Ｓ字状とは、具体的には、下方向かつ収容容器５の外面５０に近づく方向にカーブし、次いで、収容容器５の外面５０から離れる方向にカーブする形状である。
【００１８】
第１のアーム部４の１対のアームは、引掛け係止具１の中心線に沿って配置されている第２のアーム部３の両側に線対称で配置されている。これにより、前壁６に引掛け係止具１を取付けた際、引掛け係止具１の第２のアーム部３に印加される応力が第１のアーム部４の１対のアームに分散されるため、応力の集中を防止することができ、第２のアーム部３及び第１のアーム部４の破損を防ぐことができる。なお、第１のアーム部４は、単一のアームであってもその作用効果を発揮できるが、応力分散に優れる観点から、２つ以上のアームから構成されることが好ましい。
【００１９】
第２のアーム部３は、その一端部３１が第１のアーム部４の他端部４２に連続しており、この第１のアーム部４から折り返し、収容容器５の外面５０に沿ってなだらかな山を描くようにカーブして伸長している。この第２のアーム部３は、その一端部３１から他端部３２に向かって、厚みが連続的に減少するように形成されている。
【００２０】
第１のアーム部４には、その一端部４１及び他端部４２の間に、被取付け体である前壁６を収容容器５の方向に押圧するための第１押圧部４０が設けられている。一方、第２のアーム部３には、自由端を構成するその他端部３２の近傍であって第１押圧部４０より固定部２に近い位置において、前壁６を収容容器５の方向に押圧するための第２押圧部３０が設けられている。
【００２１】
この引掛け係止具１を収容容器５の外面５０に設けられた係止具受部５１に取付け、引掛け係止具１を前壁６の上端に跨って引掛け、収容容器５の外面５０と引掛け係止具１の第１のアーム部４及び第２のアーム部３との間に前壁６が挟まれるように装着すると、第１のアーム部４及び第２のアーム部３の弾性によって、第２のアーム部３の第２押圧部３０が前壁６の後面６０（図４参照）を収容容器５の方向に押圧することから、収容容器５は前壁６に確実に固定される。前壁６が薄い場合は、第２のアーム部３の第２押圧部３０のみ前壁６の後面６０を押圧して固定する。また、前壁６が厚い場合は、第２のアーム部３の第２押圧部３０と、第１のアーム部４の第１押圧部４０との両方が前壁６の後面６０を押圧してより安定して固定する。従って、前壁６が薄くても厚くてもその厚みＴに関係なく、収容容器５をこの前壁６に安定して固定することができる。
【００２２】
前壁６が薄く第２のアーム部３の第２押圧部３０のみが前壁６の後面６０を押圧する場合、この第２押圧部３０は前壁６の後面６０によって押し戻されるが、それに応じて第２のアーム部３全体も押し戻され、さらに第２のアーム部３と連続する第１のアーム部４も押し戻される。その結果、第２押圧部３０にかかる応力が好適に分散され、第２押圧部３０及びその周辺が弾性限界を超えることを回避できる。
【００２３】
前壁６が厚く第２のアーム部３の第２押圧部３０及び第１のアーム部４の第１押圧部４０が前壁６の後面６０を押圧する場合、まず第２押圧部３０が前壁６の後面６０に押し戻され、それに応じて第２のアーム部３全体も押し戻され、この第２のアーム部３と連続する第１のアーム部４も押し戻される。さらに第１のアーム部４の第１押圧部４０も前壁６の後面６０に押し戻されるが、それに応じて第１のアーム部４全体も押し戻される。その結果、第２押圧部３０にかかる応力及び第１押圧部４０にかかる応力が好適に分散され、第２押圧部３０及び第１押圧部４０並びにそれらの周辺が弾性限界を超えることを回避できる。
【００２４】
前述したように、第２のアーム部３は、その一端部３１から他端部３２に向かって厚みが連続的に減少するように形成されているので、その先端部により柔軟な可撓性を持つことができ、前壁６から印加される応力を良好に減衰させて、弾性限界を超えて壊れることを防止できる。
【００２５】
本実施形態の引掛け係止具１は、合成樹脂材料によって一体的に成形されている。このため、軽量であり、大量生産が可能であり、安価に生産することができる。合成樹脂材料としては、可撓性を有し、破断しにくい素材が好ましく、具体的には、ポリアミド樹脂（ＰＡ又はナイロン）、レーヨン、ポリアセタール、ＡＢＳ樹脂及びポリエステル等が挙げられる。これらの樹脂材料を採用することにより、弾性力を備え、使用時に前壁６から印加される応力が好適に分散され、破損しにくい引掛け係止具１を得ることができる。なお、本考案の引掛け係止具は、合成樹脂材料以外の、例えばステンレスやアルミニウム等の金属材料で形成することも可能である。
【００２６】
図２及び図３に示すように、本実施形態において、収容容器５には２つの引掛け係止具１が取付けられている。収容容器５は、１つの引掛け係止具１が取付けられていれば、前壁６へ固定することが可能であるが、本実施形態のように複数の引掛け係止具１を用いれば、より安定した固定を行うことができる。
【００２７】
本実施形態における引掛け係止具１の寸法は、単なる一例であるが、上下方向の長さが約４５ｍｍ、左右方向の長さが約２０ｍｍ、前面から後面への奥行き方向の長さは約２０ｍｍとなっている。また、第１のアーム部４の各アームの幅及び厚みは約３ｍｍであり、第２のアーム部３の幅は約５ｍｍであり、厚みは一端部３１が約３ｍｍであり、連続的に減少して他端部３２が約１ｍｍである。もちろん引掛け係止具１の寸法は、これに限定されず、前壁６に固定する収容容器５の寸法、重量、及び用途、並びに前壁６の厚みＴ等に応じて異なってくる。引掛け係止具１の寸法や第１のアーム部４及び第２のアーム部３のカーブ形状等は、使用時に第１のアーム部４及び第２のアーム部３に印加される応力が好適に分散するように、シミュレーションソフトウェアを使用して設計することが望ましい。
【００２８】
前述したように、本実施形態の引掛け係止具１は、スロットマシンゲーム機の前面下部に設けられたメダル受け皿の前壁６にメダルやその他の小物等を追加収容するための収容容器５を取付けるために使用される。この収容容器５は、図２に示すように、メダルやその他の小物を収容する筐体部５３と、メダル排出口５４と、持ち手５５とを備えており、その外面（後面）５０には、２つの固定部挿入穴５１が設けられており、前述した引掛け係止具１の固定部２がそれぞれ挿入嵌合して、固定されるように構成されている。なお、被取付け体に取付けられる物品として、本実施形態では収容容器５を示しているが、これに限定されるものではなく、例えば、看板や広告等の板状部材や、薄型テレビ等の電気機器等であってもよい。なお、前述したように、収容容器５等の物品に引掛け係止具１があらかじめ設けられている構造としても良い。
【００２９】
以下、図４を参照して、本実施形態の引掛け係止具１の動作を説明する。図４（ａ）に示すように、使用前、即ち、引掛け係止具１及び収容容器５を前壁６に取付けする前の状態では、第２のアーム部３及び第１のアーム部４に印加される応力はなく、引掛け係止具１は図１及び図２に示す使用前の形状となっている。
【００３０】
図４（ｂ）に示すように、前壁６が薄い場合、収容容器５に固定した引掛け係止具１を前壁６の上端に跨って引掛け、収容容器５の外面５０と引掛け係止具１の第１のアーム部４及び第２のアーム部３との間に前壁６が挟まれるように装着すると、第１のアーム部４及び第２のアーム部３の弾性によって、第２のアーム部３の第２押圧部３０が前壁６の後面６０を収容容器５の方向に押圧し、これにより収容容器５が前壁６に固定される。この際、前壁６の後面６０によって押し戻された第２のアーム部３の第２押圧部３０のみに応力がかかることにより、第２のアーム部３のみの全体が後方（図４（ｂ）における時計回りの矢印方向）に押し戻され、さらにこれにより第２のアーム部３と連続する第１のアーム部４も後方（図４（ｂ）における反時計回りの矢印方向）に押し戻される。これらの第２のアーム部３及び第１のアーム部４の変形及び押し戻しにより、第２押圧部３０にかかる応力が好適に分散され、第２押圧部３０及びその周辺が弾性限界を超えることを回避できる。
【００３１】
図４（ｃ）に示すように、前壁６が厚い場合、収容容器５に固定した引掛け係止具１を前壁６の上端に跨って引掛け、収容容器５の外面５０と引掛け係止具１の第１のアーム部４及び第２のアーム部３との間に前壁６が挟まれるように装着すると、第１のアーム部４及び第２のアーム部３の弾性によって、第２のアーム部３の第２押圧部３０及び第１のアーム部４の第１押圧部４０が前壁６の後面６０を収容容器５の方向に押圧し、これにより収容容器５が前壁６に固定される。この際、前壁６の後面６０によって押し戻された第２のアーム部３の第２押圧部３０及び第１のアーム部４の第１押圧部４０の両方に応力がかかることにより、第２のアーム部３の全体が後方（図４（ｃ）における時計回りの矢印方向）に押し戻され、さらに第１のアーム部４も後方（図４（ｃ）における反時計回りの矢印方向）に押し戻される。これらの第２のアーム部３及び第１のアーム部４の変形及び押し戻しにより、第２押圧部３０及び第１の押圧部４０にかかる応力が好適に分散され、第２押圧部３０及び第１の押圧部４０並びにその周辺が弾性限界を超えることを回避できる。
【００３２】
本考案は、上述した実施形態に限定されるものでなく、実用新案登録請求の範囲に記載された考案の要旨を逸脱しない範囲内での種々、設計変更した形態も技術的範囲に含まれるものである。
【符号の説明】
【００３３】
１  引掛け係止具
２  固定部
３  第２のアーム部
４  第１のアーム部
５、５′  収容容器
６  前壁
７′  引掛け用フック
２０  切り欠き溝
２１  嵌合爪
３０  第２押圧部
３１  一端部
３２  他端部
３Ｄ  他端部の厚み
４０  第１押圧部
４１  一端部
４２  他端部
５０、５０′  外面
５１  固定部挿入穴
５２  凹部
５３  筐体部
５４  メダル排出口
５５  持ち手
６０  後面
６１  前面
Ｒ  間隙
Ｔ  被取付け体の厚み
【図１】
0003191365.tif 000003
【図２】
0003191365.tif 000004
【図３】
0003191365.tif 000005
【図４】
0003191365.tif 000006
【図５】
0003191365.tif 000007